(57)【要約】【課題】太陽光パネルをベランダの内側とか壁面に取り付けでき、太陽光パネルの傾斜角度を微調整でき効率良く発電し、天候異変においても収納でき安全で有効活用できる事である。【解決手段】パネル固定台２に太陽光パネル１と回転軸５を固定し固定架台６に回転できる様に取り付け一体型とし、ベランダ手摺壁１４に手摺壁支持金具１１を取り付け前記の一体型を組付け背面角度調整函７Ａを取り付けその位置を上下することで傾斜角度の微調整ができる、パネル固定台２を傾斜支持材１０まで持ち上げると角度固定ピン８が張り出しパネル固定台２を支持する、収納するには引っ張り紐９を引くと角度固定ピン８引き戻しパネル固定台２の支持は外れ回転軸５中心に回転し固定架台６内に入り収納状態となる、壁面にも前面取り付けでき二種類の取り付けと、傾斜角度の微調整ができ、天候異変には収納できる架台。【選択図】図１
2013217127.tif 000002
【特許請求の範囲】
【請求項１】
パネル固定台に太陽光パネルを固定し側面に回転軸を取り付け固定架台上部に回転軸が回転できる状態に取り付け一体型とする、前記の一体型が前面取り付けと背面取り付けで太陽の光を受ける傾斜角度は変わる、前面取り付けは前面角度調整函を背面取り付けは背面角度調整函を固定架台の上部に取り付ける、パネル固定台を其々の角度調整函の傾斜支持材まで持ち上げると角度固定ピンが張り出してパネル固定台を支持する、収納は引っ張り紐を引くと角度固定ピンを引き戻しパネル固定台の支持は外れ回転軸中心に回転降下し固定架台内に入り収納状態となる、前面は壁面と背面はベランダ内側との二種類取り付けできと、角度調整函の取り付け位置を上下させる事で傾斜角度の微調整ができる事と、太陽光パネルを収納でき天候異変の場合も安全である事とを特徴とする収納できる架台。
【発明の詳細な説明】
【技術分野】
【０００１】
本発明は、太陽光パネルをベランダの内側若しくは壁面に設置する場合に使用する架台で、太陽光パネルを設置した後に天候異変などの場合素早く太陽光パネルを回転させ収納でき、収まったら太陽光パネルを元の位置に戻し使用ができる形状の収納できる架台に関するものである。
【背景技術】
【０００２】
集合住宅、高層住宅のベランダの内側に、太陽光パネルを収納できる架台に組み込み、居住して居られる方々にて運搬並びに取り付けも簡単にでき、日中充電された電気を夜間部屋の明りに活用し、災害時においても安全の確保に役立てることである。
【０００３】
或いは、戸建住宅とか事務所或いは工場などの壁面若しくは階段の踊り場等に、太陽光パネルを簡単に取り付けができ部屋の明りに活用し、災害時において安全の確保に役立てることである。
【０００４】
建物が高く成るほど、地震災害など避難する方法が非常に難しく、先ずは自分と家族の安全確保が最優先となり、その為には明りがあれば周辺の状況もいち早く確認ができ落ち着いて行動ができる、居住している場所の状況が確認でき避難する方法も検討できる、常に明りがある事が安心であり安全で互いに近所同士の助け合いができる。
【０００５】
しかし、集合住宅とか高層住宅では屋上に各戸居住者分の太陽光パネルを設置する広さは無く、設置を検討する場合ベランダが唯一の設置場所になる、その為小型の太陽光パネルを設置する方法しか無く、設置に際しては発電効率の良い機器並びに軽負荷機器の選択が検討課題となり、且つ安全と近隣に迷惑をかけない事が最も重要な課題である。
【０００６】
この改善策として、先ず太陽光パネルを簡単にそして安全にベランダに取り付けできる事である、其れにはベランダの手摺から外部に出さ無い様に取り付けることが重要であり、且つベランダ内で脚立とか踏み台を使用せずに取り付け作業ができ、取り付けた後には定期的に太陽光パネルの傾斜角度を変える事ができ、天候異変などには事前に収納でき、表面等清掃ができ汚れによる太陽光パネルの発電低下を阻止し安全で安定供給を提供することである。
図１は収納できる架台の背面取り付け状況の説明図で、パネル固定台２に太陽光パネル１を固定し、パネル固定台２の側面一部に回転軸５を取り付け裏面には放熱板４を取り付けと側面一部に握り手３を取り付け、固定架台６上部両側に回転軸５が回転できる方法で取り付け、パネル固定台２と固定架台６とで一体型で回転軸５中心にパネル固定台２が回転できる形状となる、この一体型が前面取り付けと背面取り付けの方法があり太陽の光を受ける傾斜角度も変わる、一般的には南向きで水平面からの角度は３５〜４５度の範囲になるように設置されています、壁面に取り付けは前面取り付けとなり回転軸５中心から太陽光パネル１は下向きとなり、前面角度調整函７Ｂを固定架台６に取り付ける、ベランダ手摺壁１４の内側に取り付けは背面取り付けとなり回転軸５中心から太陽光パネル１は上向きとなる、背面角度調整函７Ａを固定架台６に取り付ける、背面角度調整函７Ａ取り付けた後にパネル固定台２の握り手３を持って回転軸５中心に回転させながら持ち上げると背面角度調整函７Ａの傾斜支持材１０にあたると角度固定ピン８が張り出してパネル固定台２を支持する、パネル固定台２を収納する場合は背面角度調整函７Ａに取り付けの角度固定ピン８を引っ張り紐９で引っ張るとパネル固定台２が外れ回転軸５を中心にパネル固定台２は下降し固定架台６の空間に収納できる架台となる。
図２は収納できる架台の背面取り付けの正面説明図で、ベランダ内側から取り付け状況を見た状態で、ベランダ手摺壁１４に太陽光パネル等の重量を加えたく無い場合補強支持脚１２を固定架台６に２ヶ所取り付ける事もできる状況示している。
図３は収納できる架台の背面取り付けの側面説明図で、固定架台６上部に背面角度調整函７Ａを取り付け、この背面角度調整函７Ａの取り付けを上下させる事により太陽光パネル１の傾斜角度の微調整ができ、地域によって或いは季節によって傾斜角度の調整ができる、背面取り付けでベランダ手摺壁１４の外部に極力出ない方法と太陽光パネル１の下部に空間を設けベランダとして有効活用出来る様に設置されている状況を示している。
図４は収納できる架台の前面取り付けの状況の説明図で、壁面に前面取り付けの状況を示している、前面取り付けの場合は前面角度調整函７Ｂを用いる。
【先行技術文献】
【特許文献】
【０００７】
【特許文献１】登録実用新案第３１７１８２４号
【非特許文献】
【０００８】
【非特許文献１】都筑  建著  「ベランダ太陽光発電」合同出版  ２０１１年
【発明の概要】
【発明が解決しようとする課題】
【０００９】
解決しようとする問題点は、特に集合住宅、高層住宅など常に多くの方々が居住する建物において且つ其々の居住部分に、太陽光パネルをベランダ内側に取り付けて効率よく発電し部屋の明かりに、戸建住宅等の壁にも同じように取り付けでき部屋の明りの確保と二種類の取り付け方法ができ、エネルギーの削減と災害時に於いても常に明りが確保できる事である。
【課題を解決するための手段】
【００１０】
本発明は、太陽光パネルと固定架台を一体型にして前面取り付け或いは背面取り付けができ、前面取り付けは壁面で背面取り付けはベランダ手摺壁の内側に取り付けでき、前面、背面角度調整函の取り付け位置の調整により地域とか季節によって太陽の光を受ける角度が変わるので極力太陽に面する方向に太陽光パネルを向ける微調整がでる、居住者の方々でも特別な工具を必要とせず簡単に取り付けが出来、しかも天候異変の恐れがある場合事前に収納できる事が最も主要な特徴とする。
【発明の効果】
【００１１】
本発明の収納できる架台は、小容量の太陽光パネルを集合住宅、高層住宅のベランダ内側とか、或いは住宅の壁、事務所の壁、階段の踊り場、等の僅かな場所を活用して簡単に誰でも取り付けができ、天候異変の恐れ等の時は早めに収納して安全を確保し、小容量の電気をＬＥＤ照明器具など活用して一部の部屋の明りを確保して災害等で停電が発生してもバッテリーに確保された電気を有効に活用できる利点がある。
【図面の簡単な説明】
【００１２】
【図１】図１は収納できる架台の背面取り付け状況の説明図である。 （実施例１）
【図２】図２は収納できる架台の背面取り付けの正面説明図である。 （実施例２）
【図３】図３は収納できる架台の背面取り付けの側面説明図である。 （実施例３）
【図４】図４は収納できる架台の前面取り付け状況の説明図である。 （実施例４）
【発明を実施するための形態】
【００１３】
収納できる架台は、パネル固定台に太陽光パネルを固定し固定架台と一体型にして、パネル固定台は固定架台内に回転して収納される事により、全体に小型となり壁面の前面取り付け並びにベランダ手摺壁の内側背面取り付けを行う事ができ、前面、背面角度調整函取り付け位置によって太陽光パネルの傾斜角度の微調整ができ効率よく受光でき、特殊な工具を使用せずに取り付けができ、最小の部品点数で小型に実現した。
【実施例１】
【００１４】
図１は、本発明の１実施例でベランダ手摺壁１４の内側背面取り付け方法を示した図であって、パネル固定台２に太陽光パネル１を固定する、パネル固定台２の側面一部に回転軸５を取り付け裏側には放熱板４と側面一部に握り手３を取り付け、固定架台６の上部に回転軸５が回転する様に固定し一体型を作る、この一体型になった固定架台６の上部に背面角度調整函７Ａを取り付ける、背面角度調整函７Ａには傾斜支持材１０と角度固定ピン８が付きこの角度固定ピン８に引っ張り紐９の一端が固着されており引っ張り紐９を引くと角度固定ピン８が動く、固定架台６上部に取り付ける背面角度調整函７Ａは上下に位置調整ができ太陽光パネル１自体太陽の光を受ける傾斜角度が微調整できる、ベランダ手摺壁１４に手摺壁支持金具１１をベランダ手摺壁１４に挟み込む状態にして２ヶ所固定する、この手摺壁支持金具１１に太陽光パネル１とパネル固定台２と固定架台６とで一体型になった固定架台６を取り付ける、ベランダ手摺壁１４に重量をかけたくない場合補強支持脚１２固定架台６の下部に挿入固定し高さ調整し固定する、固定完了後パネル固定台２の握り手３を持ち背面角度調整函７Ａの角度固定ピン８を超える位置まで持ち上げると傾斜支持材１０に接し止まる、角度固定ピン８が戻りパネル固定台２は支持され安定する、天候異変の場合早めにパネル固定台２の握り手３を持ち背面角度調整函７Ａの引っ張り紐９を引きパネル固定台２をゆっくり降ろし固定架台６内に収納する。
【実施例２】
【００１５】
図２は、本発明の２実施例でベランダの内側背面取り付けした状況の正面図であって、ベランダ自体建物の構造によって種々形状が変わりベランダ手摺壁１４に重量を掛けられない形状もある為、太陽光パネル全体の重量を床１６で受ける場合もあり、固定架台６の下部に補強支持脚１２を挿入し床１６で重量を支える事もできる。
【実施例３】
【００１６】
図３は、本発明の３実施例でベランダの内側背面取り付けした状況の側面図であって、ベランダ手摺壁１４から外部に出る部分は殆ど無く、取り付け作業もベランダ内部で出来安全であり、雨粒が太陽光パネル１等に伝い下に落ちる事を極力控え階下に迷惑を掛けない事も重要である、太陽光パネル１の下部には極力支持材等の使用を省きベランダを有効に活用できる空間を広く用いた状況を示す。
【実施例４】
【００１７】
図４は、本発明の４実施例で壁面前面取り付けした状況の説明図であって、ベランダ以外の壁面を活用して一体型になった固定架台６取り付け前面角度調整函７Ｂを取り付ける、取り付け周辺の状況によって太陽光パネル１を収納しなくても良い場合もあり、前面角度調整函７Ｂを付けず補強材１３を取り付け太陽光パネル１の収納を行はず常時固定する方法も可能である、小型の太陽光パネル１でも数多く取り付け出来ればエネルギーの削減と災害時には安全確保につながる。
【産業上の利用可能性】
【００１８】
僅かな場所とか空間を活用し、日中の太陽エネルギーを効率よく電気に変換しバッテリーに蓄積し、居住の一部に明りとして使用できる様にする事である。
【符号の説明】
【００１９】
１      太陽光パネル
２      パネル固定台
３      握り手
４      放熱板
５      回転軸
６      固定架台
７Ａ    背面角度調整函
７Ｂ    前面角度調整函
８      角度固定ピン
９      引っ張り紐
１０    傾斜支持材
１１    手摺壁支持金具
１２    補強支持脚
１３    補強材
１４    ベランダ手摺壁
１５    手摺
１６    床
【図１】
2013217127.tif 000003
【図２】
2013217127.tif 000004
【図３】
2013217127.tif 000005
【図４】
2013217127.tif 000006